(57)【要約】【課題】ドレン排水口からの排水時と、ポンプによる排水時のいずれの場合においても、熱交換器に対して内側を流れるドレン水をスムーズに排出することを目的とする。【解決手段】天井埋込み型空気調和機は、熱交換器と、熱交換器から滴下するドレン水を受けるドレンパン１０と、ドレンパン１０に溜まった水を排出するポンプ１４とを備え、ドレンパン１０の底部１０ａには、熱交換器が上面に載置される上方に突出した凸部１９と、ドレンパン１０を貫通したドレン排水口２１が形成され、凸部１９には熱交換器に対して内側と外側を結び、ドレン水が内側から外側へ流通する凹状の第１連通部２３Ａと第２連通部２３Ｂが形成され、第１連通部２３Ａは、ドレン排水口２１に対応した位置に設けられ、第２連通部２３Ｂは、第１連通部２３Ａに隣接し、ドレン排水口２１と離隔した位置に設けられている。【選択図】図５
2019132476.tif 000002
【特許請求の範囲】
【請求項１】
熱交換器と、
前記熱交換器から滴下するドレン水を受けるドレンパンと、
前記ドレンパンに溜まった水を排出するポンプと、
を備え、
前記ドレンパンの底部には、前記熱交換器が上面に載置される上方に突出した凸部と、前記ドレンパンを貫通した排水口が形成され、
前記凸部には前記熱交換器に対して内側と外側を結び、ドレン水が前記内側から前記外側へ流通する凹状の第１連通部と第２連通部が形成され、
前記第１連通部は、前記排水口に対応した位置に設けられ、
前記第２連通部は、前記第１連通部に隣接し、前記排水口と離隔した位置に設けられている天井埋込み型空気調和機。
【請求項２】
前記排水口に下から上へ向けて挿入され、先端部が前記ドレンパンの底部よりも上方へ突出される栓部を更に備える請求項１に記載の天井埋込み型空気調和機。
【請求項３】
前記第１連通部と前記第２連通部は、前記熱交換器と吹出し口の間の領域の端部又は前記領域の外に設けられる請求項１又は２に記載の天井埋込み型空気調和機。
【発明の詳細な説明】
【技術分野】
【０００１】
本発明は、天井埋込み型空気調和機に関するものである。
【背景技術】
【０００２】
空気調和機の室内機では、冷房運転時に室内空気が熱交換器によって冷却されると、室内空気中の水分が熱交換器の表面に結露しドレンパン内に滴下する。ドレンパン内に溜まった水であるドレン水は、ドレンパンからポンプによって吸い上げられ、ドレン配管を通って外部へ排出される。
【０００３】
下記の特許文献１及び２には、ドレンパンにおいて仕切壁が形成され、ドレン水は、仕切壁に形成された開口溝部（特許文献１）又は連通部（特許文献２）を通ってドレンポンプの方に導かれることが開示されている。
【先行技術文献】
【特許文献】
【０００４】
【特許文献１】国際公開第２０１７／００６４６６号
【特許文献２】特開２０１４−５９７６号公報
【特許文献３】特開２００９−１０３３８３号公報
【発明の概要】
【発明が解決しようとする課題】
【０００５】
ドレンパンには、ドレン排水口が形成されており、試運転後の引き渡し前や、ドレン配管の詰まり又はドレンポンプの故障の際にドレンパンに溜ったドレン水を、ポンプを用いずにドレン排水口を介して落下させて排出できる。上記の特許文献３には、ドレンパンにドレン口が形成されることが開示されている。
【０００６】
ドレン排水口からの排水は通常運転時には行われず、通常運転時は、ドレン排水口にゴム栓が挿入され、ドレンポンプによってドレン水が排出される。ゴム栓は、下から上へ向けて挿入され、先端側はドレンパンの底部から上方へ突出するように設けられる場合がある。この場合、ゴム栓の先端部によって、ドレンポンプまでのドレン水の流れが妨げられる。
【０００７】
本発明は、このような事情に鑑みてなされたものであって、ドレン排水口からの排水時と、ポンプによる排水時のいずれの場合においても、熱交換器に対して内側を流れるドレン水をスムーズに排出することが可能な天井埋込み型空気調和機を提供することを目的とする。
【課題を解決するための手段】
【０００８】
上記課題を解決するために、本発明の天井埋込み型空気調和機は以下の手段を採用する。
すなわち、本発明に係る天井埋込み型空気調和機は、熱交換器と、前記熱交換器から滴下するドレン水を受けるドレンパンと、前記ドレンパンに溜まった水を排出するポンプとを備え、前記ドレンパンの底部には、前記熱交換器が上面に載置される上方に突出した凸部と、前記ドレンパンを貫通した排水口が形成され、前記凸部には前記熱交換器に対して内側と外側を結び、ドレン水が前記内側から前記外側へ流通する凹状の第１連通部と第２連通部が形成され、前記第１連通部は、前記排水口に対応した位置に設けられ、前記第２連通部は、前記第１連通部に隣接し、前記排水口と離隔した位置に設けられている。
【０００９】
この構成によれば、ドレンパンの底部には上方に突出した凸部が形成されており、凸部の上面に熱交換器が載置される。また、ドレンパンの底部にはドレンパンを貫通した排水口が形成されており、排水口を介してドレン水を排出できる。凸部には、熱交換器に対する内側と外側を結ぶ凹状の第１連通部と第２連通部が形成されており、第１連通部と第２連通部を介して、ドレン水が熱交換器に対して内側から外側へ流通する。
【００１０】
排水口に対応した位置に第１連通部が設けられることから、排水口からドレン水を排出する場合、熱交換器に対して内側を流れるドレン水が、第１連通部を通過した後、直接ドレン排水口へ導かれる。これにより、排水口を介してドレン水の排出を行う場合、ドレン水の排出がスムーズに行われる。
【００１１】
また、第１連通部に隣接し、排水口と離隔した位置に第２連通部が設けられることから、通常運転時において、ポンプによってドレン水を排出する場合、熱交換器に対して内側を流れるドレン水は、栓部によって妨げられにくい第２連通部を通過した後、ポンプへ導かれる。これにより、ポンプを用いてドレン水の排出を行う場合、ドレン水の排出がスムーズに行われる。
【００１２】
上記発明において、前記排水口に下から上へ向けて挿入され、先端部が前記ドレンパンの底部よりも上方へ突出される栓部を更に備えてもよい。
【００１３】
この構成によれば、栓部は、排水口に下から上へ向けて挿入され、栓部の着脱は、ドレンパンの下面側から行われる。また、栓部の先端部がドレンパンの底部よりも上方へ突出されることから、栓部の先端部をドレンパンの底部と同一高さ又はそれよりも低い高さとする場合に比べて、ドレン水が漏洩しづらい。
【００１４】
上記発明において、前記第１連通部と前記第２連通部は、前記熱交換器と吹出し口の間の領域の端部又は前記領域の外に設けられてもよい。
【００１５】
この構成によれば、熱交換器から吹出し口へ向かって流れる空気の主流とは異なる位置に第１連通部と第２連通部が形成されることから、第１連通部と第２連通部を通過する、すなわち、熱交換器を迂回（バイパス）する空気が少なくなる。
【発明の効果】
【００１６】
本発明によれば、ドレン排水口からの排水時と、ポンプによる排水時のいずれの場合においても、熱交換器に対して内側を流れるドレン水をスムーズに排出することができる。
【図面の簡単な説明】
【００１７】
【図１】本発明の一実施形態に係る天井埋込み型空気調和機の室内ユニットを示す下面図である。
【図２】図１のII−II線で切断した縦断面図である。
【図３】本発明の一実施形態に係る室内ユニットを示す縦断面図である。
【図４】本発明の一実施形態に係る室内ユニットを示す側面図である。
【図５】本発明の一実施形態に係るドレンパンを示す平面図である。
【図６】本発明の一実施形態に係るドレンパンを示す部分拡大平面図である。
【発明を実施するための形態】
【００１８】
以下に、本発明の一実施形態に係る天井埋込み型空気調和機について、図面を参照して説明する。
天井埋込み型空気調和機（以下「空気調和機」という。）は、室内ユニット１と、室外ユニット（図示せず。）と、室内ユニット１及び室外ユニットとを結ぶ冷媒配管（図示せず。）などを備える。
室内ユニット１は、ケース本体２が天井に埋込まれて設置される。ケース本体２の内部には、図２に示すように、熱交換器７、ドレンパン１０、モータ５、送風機６、ベルマウス１２等が内蔵され、このケース本体２の下部には天井面に露出する天井パネル８が装着される。図１は、室内ユニット１を室内側から見た、すなわち室内ユニット１の下面から見た下面図であり、図２は、図１のII−II線で切断した縦断面図である。
【００１９】
ドレンパン１０は、熱交換器７の下部に設けられ、熱交換器７から滴下するドレン水を受ける。ベルマウス１２は、ドレンパン１０の下部に設けられる。室内ユニット１の下面中央部には吸込み口３が形成され、この吸込み口３に隣接して室内ユニット１の下面外周部に沿って吹出し口４が形成される。吸込み口３には、吸込みグリル１１と、吸込みグリル１１の上方にフィルタ１３とが設置される。
【００２０】
空気調和機が運転すると、図示しない室外ユニットからの冷媒が熱交換器７を循環し、モータ５によって送風機６が駆動される。送風機６の駆動によって、室内空気が吸込み口３から吸込みグリル１１、フィルタ１３を通り、ベルマウス１２に案内されて送風機６へ吸入される。そして、吸入された空気は、熱交換器７を通過することで、冷却又は加熱され、その後、吹出し口４から室内へ吹き出される。
【００２１】
図３に示すように、ドレンパン１０の一角には、ポンプ１４が設置される。ポンプ１４は、空気調和機の運転時、ドレンパン１０に溜まったドレン水を吸い上げて、ドレン配管１５を介してドレン水を外部へ排出する。ドレン配管１５は、図３及び図４に示すように、ケース本体２の外部で垂直方向に立ち上げられた立ち上がり部１５ａ,１５ｂ，１５ｃと、ドレン配管１５の最も高い位置から緩やかな下りの傾斜を有するように設置された傾斜部１５ｄを備え、天井内に設置される。図３は、ポンプ１４の位置が分かるように室内ユニット１のケース本体２を切断した縦断面図であり、図４は、室内ユニット１を示す側面図である。
【００２２】
空気調和機では、冷房運転時に室内空気が熱交換器７によって冷却されると、室内空気中の水分が熱交換器７の表面に結露しドレンパン１０内に滴下する。ドレンパン１０内に溜まった水であるドレン水は、ドレンパン１０からポンプ１４によって吸い上げられ、ドレン配管１５を通って外部に排出される。
【００２３】
次に、ドレンパン１０について説明する。
ドレンパン１０は、例えば発泡スチロール製であり、ドレン水が貯留する表面には、防水性の塗料が塗装される。図５に示すように、ドレンパン１０の平面視形状は、ほぼ四角形である。ドレンパン１０には、吸込み口３及び吹出し口４に対応して開口部１６，１７が形成される。ドレンパン１０の底部１０ａは、送風機６を囲むようにして配置された熱交換器７の下部に沿って、熱交換器７が設置された全領域にわたって設けられる。図５は、ドレンパン１０を示す平面図である。
【００２４】
ドレンパン１０の底部１０ａは、図３に示すように、ポンプ１４の設置位置が最も低くなるように傾斜して形成される。ポンプ１４の設置位置に対応する底部１０ａは、ポンプ１４がドレン水を吸い上げやすいように、周囲よりも深く凹状に形成される。
【００２５】
図２に示すように、ドレンパン１０には、凹状のドレン溝１８が形成されており、ドレン水がドレン溝１８の内側に溜まる。ドレン溝１８は、図２及び図５に示すように、熱交換器７に対して内側、すなわち、熱交換器７の入口側に形成される内周壁部１８ａと、熱交換器７に対して外側、すなわち、熱交換器７の出口側に形成される外周壁部１８ｂとを有する。図５に示すように、内周壁部１８ａは、吸込み口３に対応して形成された開口部１６に沿って設けられる。外周壁部１８ｂは、吹出し口４に対応して形成された開口部１７に沿って設けられる。
【００２６】
図２に示すように、ドレン溝１８には熱交換器７の下部が収容されており、熱交換器７の下端の高さ位置がドレン溝１８の上端よりも低い。これにより、ドレン溝１８の外周壁部１８ｂによって、熱交換器７の下部に付着したドレン水の外部への飛散が防止される。
【００２７】
図２，図３及び図５に示すように、ドレンパン１０の底部１０ａには上方に突出した凸部１９が形成されている。凸部１９の上面に熱交換器７が載置される。凸部１９は、熱交換器７との間の隙間が極力形成されないように、熱交換器７の底面に沿って、熱交換器７の底面の形状に対応して形成される。
【００２８】
上述したドレンパン１０において、底部１０ａは、図２に示すように、熱交換器７に対して外側の底部１０ａのほうが内側の底部１０ａよりも低い位置に形成されることが望ましい。これにより、ドレンパン１０に溜まった水は、熱交換器７に対して内側から外側へ向かって導かれやすくなる。また、室内ユニット１において、送風機６は熱交換器７に対して内側に配置されており、送風機６による風の流れは、熱交換器７に対して内側から外側へ向かうため、ドレンパン１０に溜まったドレン水も風力によって熱交換器７に対して内側から外側へ向かって排出されやすくなる。
【００２９】
図２及び図３に示すように、熱交換器７の下部と凸部１９の上面との間には、インシュレーション２０が設置されている。これにより、熱交換器７と凸部１９の間がインシュレーション２０によって塞がれるため、熱交換器７を通過せずに隙間を通過して熱交換器７の内側から外側へ流れる空気を低減できる。また、インシュレーション２０は、熱交換器７の下部と凸部１９の上面の間に設置されることから、ドレン溝１８に収容されている。そのため、熱交換器７から滴下してインシュレーション２０に付着したドレン水についても、外部への飛散が防止される。
【００３０】
以下、図５及び図６を参照して、凸部１９に形成される二つの連通部２３について説明する。
ドレンパン１０には、ポンプ１４が設置される位置とは別にドレン排水口２１が形成される。ドレン排水口２１は、ドレンパン１０を上下方向に貫通して形成された孔である。通常運転時は、ドレン排水口２１にゴム栓２２が挿入される。ゴム栓２２は、下から上へ向けてドレン排水口２１に挿入され、ゴム栓２２の着脱は、ドレンパン１０の下面側、すなわち、室内ユニット１の下面側から行われる。
【００３１】
ゴム栓２２が挿入された状態では、ゴム栓２２の先端側はドレンパン１０の底部１０ａから上方へ突出するように設けられる。これにより、ゴム栓２２又はその他の栓部材の先端部をドレンパン１０の底部１０ａと同一高さ又はそれよりも低い高さとする場合に比べて、ドレン水が漏洩しづらい。
【００３２】
ドレン排水口２１からゴム栓２２を抜くことによって、試運転後の引き渡し前や、ドレン配管１５の詰まり又はポンプ１４の故障の際にドレンパン１０に溜ったドレン水を、ポンプ１４を用いずにドレン排水口２１を介して落下させて排出できる。
【００３３】
ドレン排水口２１は、例えば、凸部１９の熱交換器７よりも外側、すなわち、ポンプ１４側において、凸部１９の近傍に形成される。ドレン排水口２１は、ポンプ１４が設置されるドレンパン１０の一角と同じドレンパン１０の隅部の領域に形成される。上述したとおり、ドレンパン１０の底部１０ａは、ポンプ１４の設置位置が最も低くなるように傾斜して形成されている。したがって、ドレン排水口２１をポンプ１４が設置される領域と同じ領域に形成することで、ドレン排水口２１からドレン水を確実に排出できる。
【００３４】
凸部１９には、熱交換器７に対して内側と外側、すなわち、熱交換器７の入口側と出口側を結び、ドレン水が内側から外側へ流通する複数の連通部２３が形成される。連通部２３は、凸部１９において凹状に形成される。連通部２３の底部は、ドレンパン１０の底部１０ａと同じ高さである。
【００３５】
連通部２３は、凸部１９において複数箇所に形成される。連通部２３の幅は、ドレン水が流通可能な寸法であり、連通部２３を通過して、熱交換器７を迂回（バイパス）する空気が少なくなるように設定される。また、連通部２３は、熱交換器７と吹出し口４の間の領域の端部又はその領域の外に設けられることが好ましい。これにより、熱交換器７から吹出し口４へ向かって流れる空気の主流とは異なる位置に連通部２３が形成されることから、連通部２３を通過して、熱交換器７を迂回する空気が少なくなる。
【００３６】
ポンプ１４やドレン排水口２１の近傍には、連通部２３のうち第１連通部２３Ａ及び第２連通部２３Ｂが形成される。
【００３７】
第１連通部２３Ａは、ドレン排水口２１に対応した位置に設けられる。ドレン排水口２１は上述したとおり、凸部１９の熱交換器７よりも外側、すなわち、ポンプ１４側において、凸部１９の近傍に形成される。したがって、第１連通部２３Ａは、ドレン排水口２１の近傍であって、ドレン排水口２１と対向する位置に設けられる。これにより、ドレン排水口２１からドレン水を排出する場合、熱交換器７に対して内側を流れるドレン水が、第１連通部２３Ａを通過した後、直接ドレン排水口２１へ導かれる。これにより、ドレン排水口２１を介してドレン水の排出を行う場合、ドレン水の排出がスムーズに行われる。
【００３８】
第２連通部２３Ｂは、第１連通部２３Ａに隣接し、ドレン排水口２１と離隔した位置に設けられる。ドレン排水口２１による排出を行わない通常運転時は、ポンプ１４を用いてドレン水の排出が行われる。この場合、ドレン排水口２１にゴム栓２２が挿入されており、ゴム栓２２の先端側はドレンパン１０の底部１０ａから上方へ突出している。したがって、ゴム栓２２の先端部によって、ポンプ１４までのドレン水の流れが妨げられる。
【００３９】
第２連通部２３Ｂは、ドレン排水口２１と離隔した位置に設けられていることから、通常運転時において、ポンプ１４によってドレン水を排出する場合、熱交換器７に対して内側を流れるドレン水は、ゴム栓２２によって妨げられにくい第２連通部２３Ｂを通過した後、ポンプ１４へ導かれやすい。
【００４０】
これに対し、第１連通部２３Ａのみが形成され、第２連通部２３Ｂが形成されない場合は、通常運転時において、ゴム栓２２の先端部によってドレン水の流れが妨げられ、ポンプ１４へドレン水が導かれにくい。また、第２連通部２３Ｂのみが形成され、第１連通部２３Ａが形成されない場合は、熱交換器７に対して内側からドレン排水口２１までの流路が長くなり、ドレン排水口２１へドレン水が導かれにくい。
【００４１】
一方、本実施形態によれば、ポンプ１４を用いずにドレン排水口２１からドレン水を排出する場合と、通常運転時においてポンプ１４によってドレン水を排出する場合のいずれの場合においても、熱交換器７に対して内側を流れるドレン水が熱交換器７に対して外側へ導かれやすくなっている。そして、ポンプ１４を用いない場合、ドレン排水口２１からドレン水が排出されやすく、かつ、ポンプ１４を用いる場合、ポンプ１４までドレン水がスムーズに導かれやすい。
【符号の説明】
【００４２】
１      ：室内ユニット
２      ：ケース本体
３      ：吸込み口
４      ：吹出し口
５      ：モータ
６      ：送風機
７      ：熱交換器
８      ：天井パネル
１０    ：ドレンパン
１０ａ  ：底部
１１    ：吸込みグリル
１２    ：ベルマウス
１３    ：フィルタ
１４    ：ポンプ
１５    ：ドレン配管
１５ａ，１５ｂ，１５ｃ  立ち上がり部
１５ｄ  ：傾斜部
１６，１７    ：開口部
１８    ：ドレン溝
１８ａ  ：内周壁部
１８ｂ  ：外周壁部
１９    ：凸部
２０    ：インシュレーション
２１    ：ドレン排水口
２２    ：ゴム栓
２３    ：連通部
２３Ａ  ：第１連通部
２３Ｂ  ：第２連通部
【図１】
2019132476.tif 000003
【図２】
2019132476.tif 000004
【図３】
2019132476.tif 000005
【図４】
2019132476.tif 000006
【図５】
2019132476.tif 000007
【図６】
2019132476.tif 000008